(57)【特許請求の範囲】
【請求項１】
発光体(Ｌ)及びコード読み取り手段(CoR)を有する内照容器(Ｂ)に、文字・図形情報が描画された表示情報部材(Ｓs)を着脱自在で装着して文字・図形情報を発光表示する内照式情報表示器であって、
前記表示情報部材(Ｓs)に、該表示情報部材(Ｓs)に描画された文字・図形情報に関するコード(Co)が、
該表示情報部材(Ｓs)を前記内照容器(Ｂ)に装着した状態で前記コード読み取り手段(CoR)に読み取れるよう配設され、
前記内照容器(Ｂ)に、該コード読み取り手段(CoR)で読み取ったコード(Co)の情報を外部に発信する通信手段(Ｔ)が配設され、かつ、
前記の内照容器(Ｂ)に、前記表示情報部材(Ｓs)の着脱を検知する着脱検知手段(Ｕ)、又は、前記表示情報部材(Ｓs)の使用を表明する使用表明手段(Ｕx)が配設され、前記の通信手段(Ｔ)が、前記着脱検知手段(Ｕ)で検知した着脱信号、又は、前記使用表明手段(Ｕx)で表明された使用表明信号を受信することが特徴である、内照式情報表示器。
【請求項２】
請求項１に記載された内照容器(Ｂ)に、前記表示情報部材(Ｓs)の着脱を検知する着脱検知手段(Ｕ)、又は、前記表示情報部材(Ｓs)の使用を表明する使用表明手段(Ｕx)が配設され、
前記の通信手段(Ｔ)が、前記着脱検知手段(Ｕ)で検知した着脱信号、又は、前記使用表明手段(Ｕx)で表明された使用表明信号を受信する、内照式情報表示器。
【請求項３】
発光体(Ｌ)及びコード読み取り手段(CoR)を有する内照容器(Ｂ)に、文字・図形情報が描画された複数枚の画像シート(Sx1、Sx2、・・Sxk ["k"は2以上の自然数])を付着または収容した表示情報シート(Ｓ)を、着脱自在で装着して文字・図形情報を発光表示する内照式情報表示器であって、
前記画像シート(Sxi)に、前記画像シート(Sxi)に描画された文字・図形情報に関するコード(Co)が、前記表示情報シート(Ｓ)を前記内照容器(Ｂ)に装着した状態で前記コード読み取り手段(CoR)に読み取れるよう配設され、
前記内照容器(Ｂ)に、該コード読み取り手段(CoR)で読み取ったコード(Co)の情報を外部に発信する通信手段(Ｔ)が配設された、内照式情報表示器。
[ここで、"文字・図形情報"は、"文字情報及び又は図形情報"を略記したものであり、"i"は1〜kの自然数]
【請求項４】
発光体(Ｌ)及びコード読み取り手段(CoR)を有する内照容器(Ｂ)に、文字・図形情報が描画された複数枚の画像シート(Sx1、Sx2、・・Sxk ["k"は2以上の自然数])を付着または収容した表示情報シート(Ｓ)を、着脱自在で装着して文字・図形情報を発光表示する内照式情報表示器であって、
前記表示情報シート(Ｓ)に、前記複数枚の画像シート(Sx1、Sx2、・・Sxk ["k"は2以上の自然数])群に描画された文字群・図形群情報に関するコード(Cox)が、該表示情報シート(Ｓ)を前記内照容器(Ｂ)に装着した状態で前記コード読み取り手段(CoR)に読み取れるよう配設され、
前記内照容器(Ｂ)に、該コード読み取り手段(CoR)で読み取ったコード(Cox)の情報を外部に発信する通信手段(Ｔ)が配設された、内照式情報表示器。
[ここで、"文字・図形情報"は、"文字情報及び又は図形情報"、"文字群・図形群情報"は、"文字情報群及び又は図形情報群"を略記したものである]
【請求項５】
請求項３又は請求項４に記載された内照容器(Ｂ)に、発光表示する画像シート(Sxi)を選択する選択手段(Ｅx)が配設され、
前記の通信手段(Ｔ)が、前記選択手段(Ｅx)による発光表示する画像シート(Sxi)の選択信号を受信する、内照式情報表示器。
[ここで、"i"は1〜kの自然数]
【請求項６】
文字・図形情報を発光表示する内照式情報表示器に要する部品群をセットにした内照式情報表示器の製品キットであって、
少なくとも以下の部品[1][2] 、又は、[1][3]を部品としてセットした、製品キット。
[1]  発光体(Ｌ)と、[2]に記載されたコード(Co)の読み取り手段(CoR)と、該読み取り手段(CoR)で読み取ったコード(Co)の情報を外部に発信する通信手段(Ｔ)を具備し、かつ、[2]に記載された表示情報部材(Ｓs)の着脱を検知する着脱検知手段(Ｕ)、又は、前記表示情報部材(Ｓs)の使用を表明する使用表明手段(Ｕx)が配設され、前記の通信手段(Ｔ)が、前記着脱検知手段(Ｕ)で検知した着脱信号、又は、前記使用表明手段(Ｕx)で表明された使用表明信号を受信する、[2]に記載された表示情報部材(Ｓs)を着脱自在で装着できる内照容器(Ｂ)、
又は、発光体(Ｌ)と、[3]に記載されたコード(Co)の読み取り手段(CoR)と、該読み取り手段(CoR)で読み取ったコード(Co)の情報を外部に発信する通信手段(Ｔ)を具備し、[3]に記載された表示情報シート(Ｓ)を着脱自在で装着できる内照容器(Ｂ)。
[2]  発光表示する文字・図形情報に関するコード(Co)及び該文字・図形情報が描画された表示情報部材(Ｓs)。
[3]  発光表示する文字・図形情報に関するコード(Co)及び該文字・図形情報が描画された複数枚の面状画像シート(Sx1、Sx2、・・Sxk ["k"は2以上の自然数])を付着または収容した表示情報シート(Ｓ)。
[ここで、"文字・図形情報"は、"文字情報及び又は図形情報"を略記したものである]
【発明の詳細な説明】
【技術分野】
【０００１】
本発明は複数アイドルのコンサート、選挙で各政党党首が演壇にたつ政治討論会など複数人の演者(Ｐ(i) i=1,2,・・)が複数人の観客(Ａ(j) j=1,2,・・)に対し情報伝達する場にて、『演者のひとり(Ｐ(ix))と観客のひとり(Ａ(jy))との一体感』を強化して共感空間を『共創する』ための情報伝達を補強するシステムに好適に利用できる内照式情報表示器、及び、内照式情報表示器の製品キットに関する。
［"ix"は自然数"i"のひとつ、"jy"は自然数"j"のひとつを示す］
【０００２】
＜本発明の目的＞
演者及び観客双方が体感する演者のひとり(Ｐ(ix))と観客のひとり(Ａ(jy))との一体感をより強め、さらなる芸術的愉悦または(共感による)思想や意見の一致、連帯強化する情報伝達補強システムが特許文献１に示されている。
この情報伝達補強システムは、たとえば、劇場や講演会・討論会会場に参加するひとりの観客が、複数アイドルグループの特定のメンバー("推しメン")の熱烈なファンである、特定の政党党首の政策の強い賛同者である、講演・討論のテーマにて特定の意見や主張する講演者・意見者に強く賛成する者である場合に、推しメン・政党党首・講演者・意見者との一体感を強化して、ひとりの観客と推しメン・政党党首・講演者・意見者との共感を『共創して』、情報伝達を補強するシステムである。
【０００３】
そして、該情報伝達補強システムに好適に利用される内照式情報表示器が特許文献２に示されている。
特許文献２の表示器は、暗い劇場や講演会・討論会会場で、観客または演者に関する文字情報及び又は図形情報を発光によって視覚に強く訴えて表示できるので有効である。
【０００４】
一方、近年流行している複数アイドルによる"アイドルグループ"では、４−５人グループはもちろん、４０−５０人でグループを組んだものも増えている。
こういった多人数の"アイドルグループ"の応援にて、観客が、４０−５０人のうちたったひとりのメンバー(単独"推しメン"))の熱烈ファンである場合はともかく、ふたり以上の"推しメン"をもち、その"推しメン"ごとに個別の応援をしている。
【０００５】
本発明は、多人数"アイドルグループ"の応援にて、たとえば前記の情報伝達補強システム等の外部システムに対し、観客の応援意思を伝え、好適な応援、すなわち情報伝達補強がなされる表示器の改善を目的とした。
【０００６】
＜先行技術調査＞
J-PLATPATを利用して、キーワード「演出  演奏  演技」、「切替  交換」、「発光  点滅  ＬＥＤ ペンライト」等々で類似技術が記載されている特許文献を抽出した。
同様に、検索サイト「Google」で本発明にかかわるキーワード、たとえば「ペンライト」「アイドル」「表示」などを適宜組合せ、類似技術の探索をおこなった。
その結果、以下の文献を発見した。(調査の実施日は、2017年12月10日)
【０００７】
ペンライトや発光バンドを遠隔発光制御して劇場盛り上がりを狙った演出の装置と方法は公知である(たとえば特許文献３から５)。特許文献６にも、観客がリストバンド(腕輪)形態の発光体を装着して演者を応援する劇場全体の演出システムが開示されている。
また、特許文献７も同様に、観客がペンライトで演者を応援する劇場全体の演出システムが開示されている。そして、特許文献８には、軽量で持ち運び容易な文字表示可能な発光器具が開示されている。
また、内照式看板で発光体を着脱自在化したもの(特許文献９)や交換可能な係合式表示パネルとしたもの(特許文献１０)、着脱自在の導光パネル(特許文献１１)も公知である。
【０００８】
しかし、特許文献３から１１にはペンライトなどを利用した内照式表示に関し、表示内容をコード化して該コードをシステム的に利用する、といったことは記載も示唆もされていなかった。
【０００９】
一方、非特許文献１には、アイドル応援に使われるペンライトの表示を交換すること、非特許文献２−１０には、劇場などでペンライトなどの発光器具を演出として用いることが示されているが、これら非特許文献にも同様に、表示に関してコーディング化して該コードをシステム的に利用することは記載も示唆もされていなかった。
【００１０】
【特許文献１】特願2017-243919"情報伝達補強システム"SAIDOL-002
【特許文献２】特願2017-208690"内照式情報表示器・・製品キット"JURIKA-3
【特許文献３】特開昭62-040101号公報"舞台演出方法"工科舎
【特許文献４】特開2003-36981号公報"携帯発光・・演出用発光装置・・"コマデン
【特許文献５】特開2013-4323号公報"端末・・イベント用・・"BANDAI_ NAMCO
【特許文献６】特表2014-529844号"照明効果・・リストバンド・・",(Xylobands)
【特許文献７】特許6096578号"発光装置およびその制御方法",ラパンクリエイト
【特許文献８】実開昭60-193601号公報"文字表示可能な携帯信号灯"
【特許文献９】実新登録第3068436号"標識板"化学発光体出し入れ自在挿嵌
【特許文献１０】実新登録第042176号"表示装置"着脱自在に表示パネル係合
【特許文献１１】特開2012-234033号"照明付き表示装置"導光板着脱自在係合
【００１１】
【非特許文献１】キンブレシートの作り方まとめ！：HYPERLINK "https://pinky-media.jp/I0015135"：雑誌"Pinky"情報まとめWebpage
【非特許文献２】内山萌,塙大,"ライブ映像と連動する無線制御ペンライトシステムの提案",情報処理学会 インタラクション 2015 IPSJ Interaction 2015
【非特許文献３】Vainqueur社, "Xylobandsのご提案",：HYPERLINK "http://www.vainqueur-corp.com/xylobands/"：株式会社ヴァンクールWebpage
【非特許文献４】谷川昴 et.al,"無線通信を用いた大量ペンライト群のリモート制御"，電子情報通信学会総合大会，通信講演論文集 2，no.B-20-15，pp.683，Mar.2012.
【非特許文献５】Jiro Honda," FreFlow(フリフラ)"でライブ／コンサート演出に新たな可能性を",：HYPERLINK "http://www.musicman-net.com/report/82.html",2014.Musicman-NET
【非特許文献６】RAVE (Radio Activated Visual Emotion)：HYPERLINK "http://ruifan.co.jp/rave/rave.html",ルイファン・ジャパン社Webpage
【非特許文献７】BANDAI NAMCO Group,"次世代ペンライト ルミコネ",：HYPERLINK "http://lumiconne.com/",2014.BANDAI NAMCO Webpage
【非特許文献８】teamLab,"チ ー ム ラ ボ ボ ー ル",：HYPERLINK "https://www.team-lab.com/teamlabball",：2014.チームラボ株式会社Webpage
【非特許文献９】NetLED社,"クラウド型無線ペンライト"LUMIlink"を発表致します",：HYPERLINK "http://netled.co.jp/?p=1109",：2014.NetLED 株式会社Webpage
【非特許文献１０】王丹青et.al,"オタ．スター:ライブエンターテイメントのためのスマートフォンを使用したライトペン型アプリケーションの制作",情報処理学会インタラクション 2014,B1-2,February.28.2014,：HYPERLINK "http://www.interaction-ipsj.org/proceedings/2014/data/20140220/B1-2.pdf"
【発明の開示】
【発明が解決しようとする課題】
【００１２】
本発明は、多人数"アイドルグループ"の応援にて、観客が複数"推しメン"をもち、その"推しメン"ごとに個別の応援をしている場合に、情報伝達補強システム等の外部システムから有効な応援サポートが受けられる発光表示器の提案を課題とした。
特に、観客がひとりの"推しメン"から他の"推しメン"に応援を変更するときに、表示の変更を速やかに行える表示器の実現を課題とした。
そして、応援対象の速やかな変更に追随して、観客がどのメンバーを応援しているかを、情報伝達補強システム等の外部システムに通知できる機能をもった発光表示器の実現を課題とした。
【課題を解決するための手段】
【００１３】
本発明は、文字・図形情報が描画された＜表示情報部材(Ｓs)を用いた第一態様＞、複数枚の画像シート(Sx1、Sx2、・・Sxk ["k"は2以上の自然数])を付着または収容した＜表示情報シート(Ｓ)を用いた第二態様＞がある。
前者は、発光部を親として、子である表示情報部材(Ｓs)による親子構成（図１−２）、後者は、子である表示情報シート(Ｓ)、孫である複数枚の画像シートによる親子・孫構成である（図３−７）。これらを順に説明する。
第二態様は、孫である複数枚の画像シートが二枚、三枚、四枚の実施例を例示しながら説明する。
【００１４】
本発明の表示器第一態様は（請求項１）、発光体(Ｌ)及びコード読み取り手段(CoR)を有する内照容器(Ｂ)に、文字・図形情報が描画された表示情報部材(Ｓs)を着脱自在で装着して文字・図形情報を発光表示する内照式情報表示器であって、
前記表示情報部材(Ｓs)に、該表示情報部材(Ｓs)に描画された文字・図形情報に関するコード(Co)が、該表示情報部材(Ｓs)を前記内照容器(Ｂ)に装着した状態で前記コード読み取り手段(CoR)に読み取れるよう配設され、
前記内照容器(Ｂ)に、該コード読み取り手段(CoR)で読み取ったコード(Co)の情報を外部に発信する通信手段(Ｔ)が配設された、内照式情報表示器である。
[ここで、"文字・図形情報"は、"文字情報及び又は図形情報"を略記したものである]
【００１５】
前記内照容器(Ｂ)に(請求項２)、前記表示情報部材(Ｓs)の着脱を検知する着脱検知手段(Ｕ)、又は、前記表示情報部材(Ｓs)の使用を表明する使用表明手段(Ｕx)が配設され、
前記の通信手段(Ｔ)が、前記着脱検知手段(Ｕ)で検知した着脱信号、又は、前記使用表明手段(Ｕx)で表明された使用表明信号を受けて、該着脱情報又は該使用表明情報を外部に発信する、という態様が好ましい。
【００１６】
本発明の表示器第二態様は（請求項３）、発光体(Ｌ)及びコード読み取り手段(CoR)を有する内照容器(Ｂ)に、文字・図形情報が描画された複数枚の画像シート(Sx1、Sx2、・・Sxk ["k"は2以上の自然数])を付着または収容した表示情報シート(Ｓ)を、着脱自在で装着して文字・図形情報を発光表示する内照式情報表示器であって、
前記画像シート(Sxi)に、前記画像シート(Sxi)に描画された文字・図形情報に関するコード(Co)が、前記表示情報シート(Ｓ)を前記内照容器(Ｂ)に装着した状態で前記コード読み取り手段(CoR)に読み取れるよう配設され、
前記内照容器(Ｂ)に、該コード読み取り手段(CoR)で読み取ったコード(Co)の情報を外部に発信する通信手段(Ｔ)が配設された、内照式情報表示器である。
【００１７】
本発明の表示器第二態様の別態様は（請求項４）、発光体(Ｌ)及びコード読み取り手段(CoR)を有する内照容器(Ｂ)に、文字・図形情報が描画された複数枚の画像シート(Sx1、Sx2、・・Sxk ["k"は2以上の自然数])を付着または収容した表示情報シート(Ｓ)を、着脱自在で装着して文字・図形情報を発光表示する内照式情報表示器であって、
前記表示情報シート(Ｓ)に、前記複数枚の画像シート(Sx1、Sx2、・・Sxk ["k"は2以上の自然数])群に描画された文字群・図形群情報に関するコード(Cox)が、
該表示情報シート(Ｓ)を前記内照容器(Ｂ)に装着した状態で前記コード読み取り手段(CoR)に読み取れるよう配設され、前記内照容器(Ｂ)に、該コード読み取り手段(CoR)で読み取ったコード(Cox)の情報を外部に発信する通信手段(Ｔ)が配設された、内照式情報表示器である。
[ここで、"文字・図形情報"は、"文字情報及び又は図形情報"、"文字群・図形群情報"は、"文字情報群及び又は図形情報群"を略記したものである]
【００１８】
本発明の内照容器の好適な態様は(請求項５)、内照容器(Ｂ)に、発光表示する画像シート(Sxi)を選択する選択手段(Ｅx)が配設され、前記の通信手段(Ｔ)が、前記選択手段(Ｅx)による発光表示する画像シート(Sxi)の選択信号を受けて、該画像シート(Sxi)選択情報を外部に発信する態様である。
[ここで、"i"は1〜kの自然数]
【００１９】
本発明の表示器の製品キットは(請求項６)、  文字・図形情報を発光表示する内照式情報表示器に要する部品群をセットにした内照式情報表示器の製品キットであって、少なくとも以下の部品[1][2] 、又は、[1][3]を部品としてセットした、製品キットである。
[1]  発光体(Ｌ)と、[2]に記載されたコード(Co)の読み取り手段(CoR)と、該読み取り手段(CoR)で読み取ったコード(Co)の情報を外部に発信する通信手段(Ｔ)を具備し、[2]に記載された表示情報部材(Ｓs)を着脱自在で装着できる内照容器(Ｂ)、又は、発光体(Ｌ)と、[2]に記載されたコード(Co)の読み取り手段(CoR)と、該読み取り手段(CoR)で読み取ったコード(Co)の情報を外部に発信する通信手段(Ｔ)を具備し、[3]に記載された表示情報シート(Ｓ)を着脱自在で装着できる内照容器(Ｂ)。
[2]  発光表示する文字・図形情報に関するコード(Co)及び該文字・図形情報が描画された表示情報部材(Ｓs)。
[3]  発光表示する文字・図形情報に関するコード(Co)及び該文字・図形情報が描画された複数枚の面状画像シート(Sx1、Sx2、・・Sxk ["k"は2以上の自然数])を付着または収容した表示情報シート(Ｓ)。
[ここで、"文字・図形情報"は、"文字情報及び又は図形情報"を略記したものである]
【００２０】
また、本発明表示器にて、通信手段(Ｔ)が、外部からの発光体(Ｌ)の発光を制御する発光制御情報の受信機能を兼備しており、該受信された発光制御情報にもとづいて発光体(Ｌ)の発光を制御する発光制御手段(ＬC：図示せず)を兼備した、及び／又は、  内照容器(Ｂ)が、振動発生手段(Ｖ：図示せず)を兼備するとともに、通信手段(Ｔ)が、外部からの振動発生手段(Ｖ：図示せず)の振動を制御する振動制御情報の受信機能を兼備しており、該受信された振動制御情報にもとづいて振動発生手段(Ｖ：図示せず)の振動を制御する振動制御手段(ＶC：図示せず)を兼備させることも好適である。
この態様によって、外部のシステムからの発光制御・振動制御の指令情報によって、発光体(Ｌ)もしくは振動発生手段(Ｖ：図示せず)の振動が制御され、光もしくは振動による観客への情報伝達ができるようになり、有効な情報伝達補強が可能になる。
【００２１】
さて、近年アイドルファンの好みは多様化している。それゆえ40人以上のアイドル候補がグループを組み、ファンの多様化志向に応えようと奮闘している。つまり40人以上のアイドル候補それぞれ多種多様な魅力を舞台から観客にアピールする。
こういったアイドルグループコンサートが各地で行われている。アイドルグループコンサートでは、アイドル候補のファンそれぞれに40人のうちのひとりを"推しメン(推しているメンバー)"と称して、熱烈な声援や"オタゲー(おたく的な振り付け動作)を披露し、推すアイドル候補の演技を盛り上げる。応援オタゲー披露で、応援アイドル候補が人気を得て、メージャーアイドルへと飛躍してほしいからである。
【００２２】
ここにおいて、40人以上のアイドル候補個々に個別の応援用グッズのニーズがある。
すなわち、48人のアイドルグループメンバーの名前がたとえば、"1ちゃん"、"2ちゃん"、"3ちゃん"、"4ちゃん"・・"45ちゃん"、"46ちゃん"、"47ちゃん"、"48ちゃん"であった場合、それらの名前をペンライト表面に描画して発光表示させ、振りながら応援オタゲーを披露し、周囲の関心を呼びたいからである。
【００２３】
ペンライトには、"1ちゃん"を示す似顔絵、"2ちゃん"を示すロゴマーク、"3ちゃん"を意味する動物、"4ちゃん"をイメージしたアニメチャラ・・等々の、"推しメン"固有の図形を描画して発光表示させ、振りながら応援オタゲーで盛り上げている。
また、ペンライトの発光色は、"1ちゃん"を示す赤、"2ちゃん"を示す青、"3ちゃん"を意味する緑、"4ちゃん"をイメージした特別色・・等々の"推しメン"固有色で発光させて振り、応援オタゲーで盛り上げている。
こういうニーズから、ペンライトや発光看板、発光情報表示器等の"推しメン"応援用発光グッズの表示は、40人以上のアイドル候補個々個別なるものである。
【００２４】
一方、特許文献１には、ひとりの応援観客と、ひとりの"推しメン"との情報伝達を補強するシステムが提案されている。このシステムがファン個々の"推しメン"を認知すれば、その"推しメン"とファンの五感を通じた交流を強めることができる。
本発明は、こういったシステムがファン個々の"推しメン"を認知するのに好適な応援用発光グッズである。従来は特許文献１のようなシステムがなく、こういったニーズに応じたグッズを発想する動機がなかった。
【００２５】
＜＜ 表示情報部材(Ｓs)を用いた第一態様 ＞＞
図１が、本発明の表示器第一態様である。内照容器(Ｂ)の発光体(Ｌ：図示略)を覆う部位の一部又は全部が透明又は半透明で、発光体(Ｌ)の内部発光にて装着する表示情報部材(Ｓs)に描画された文字・図形情報を内照式に浮き出して発光させ表示する。
そして、内照容器(Ｂ)にはコード読み取り手段(CoR)、表示情報部材(Ｓs)には、内照容器(Ｂ)に描画された文字・図形情報(ここでは、"10ちゃん  ハートマーク図形")に関するコード(Co)が配設されている。
【００２６】
このコード(Co)は、表示情報部材(Ｓs)を内照容器(Ｂ)に装着した状態でコード読み取り手段(CoR)に読み取れるよう配設される。
発光体(Ｌ)及びコード読み取り手段(CoR)を有する内照容器(Ｂ)に、文字・図形情報が描画された表示情報部材(Ｓs)を着脱自在で装着して文字・図形情報を発光表示する内照式情報表示器であるので、ファン個々の"推しメン"がだれであろうと、表示情報部材(Ｓs)を交換すればよく、内照容器(Ｂ)は共通使用できる。
【００２７】
図１(a)に48人のアイドル候補の名前である"1ちゃん"、"2ちゃん"、・・"47ちゃん"、"48ちゃん"に応じた個別の文字・図形情報が図示されている。この場合には、個別の文字・図形情報は、"1"、"2"、・・"47"、"48"という数値でも代表できる。
表示情報部材(Ｓs)には、それら代表数値をコーディングしたコード(Co)が配設されていて、図１(a)は、"1"、"2"、・・"47"、"48"を２進数でコーディングしたコード(Co)例が示されている。
【００２８】
すなわち、アイドル名である"1ちゃん"という文字、及び／又は、"1ちゃん"の似顔絵やロゴマークなどの図形を描画した表示情報部材(Ｓs)には、"1ちゃん"を他のメンバーから弁別するコードとして"000001"。
アイドル名である"2ちゃん"という文字、及び／又は、"2ちゃん"の似顔絵やロゴマークなどの図形を描画した表示情報部材(Ｓs)には、"2ちゃん"を弁別するコードとして"000010"。
アイドル名である"3ちゃん"という文字、及び／又は、"3ちゃん"の似顔絵やロゴマークなどの図形を描画した表示情報部材(Ｓs)には、"3ちゃん"を弁別するコードとして"000011"。 
以下同様に、・・アイドル名である"48ちゃん"という文字、及び／又は、"48ちゃん"の似顔絵やロゴマークなどの図形を描画した表示情報部材(Ｓs)には、"48ちゃん"を弁別するコードとして"110000"というコード(Co)を、それぞれの表示情報部材(Ｓs)に付随、すなわち、印字・印刷・描画等々している例である。
【００２９】
図１(a)のコーディング例は、簡単化された一例に過ぎない。本発明のコード(Co)は、それを付随、すなわち、印字・印刷・描画等々した表示情報部材(Ｓs)に描画された文字・図形情報に関するものであればどんなコーディング法によるものでもよい。
【００３０】
本案コード(Co)の特徴は、表示情報部材(Ｓs)に描画された文字・図形情報に関してコーディングしたことで、さらなる特徴は、コード(Co)付き表示情報部材(Ｓs)を、装着したひとつの内照容器(Ｂ)から着脱自在で他の内照容器(Ｂ)にも装着して機能する、という使用法にある。
すなわち、公知の、商品にバーコードやＱＲコード(登録商標)を付随(印字・印刷・描画等)して商品を該コードにて弁別するためのコーディングと、この使用法とは差異がある。
【００３１】
従来は、コード付き商品を着脱自在で他の商品に装着し、その着脱の都度、当該コード読み取りをしたりしない。これが本発明の特徴である。
そして本発明では、通信手段(Ｔ)を具備し、かかる読み取り情報を外部発信する、ということも特徴である。
【００３２】
本発明のコード(Co)は、公知の任意のコーディング方法、暗号化法を採用してよい。
たとえば、特定の波長の光照射下でしか読み取りできない、いわゆる見えないインクを用いて印字・印刷・描画して、贋作できないようにするのも好適である。
紙幣のように微細パターンを用いて描画したり、ホログラフを用いたりして贋作困難なコーディングないしはコード描画法の採用も好適である。
【００３３】
またたとえば、内照容器(Ｂ)にもコードが付随され、そのコードと表示情報部材(Ｓs)のコードとが連結なければコード解読ができない、すなわち、いわゆる鍵と鍵穴の組合せ暗号を採用し、内照容器(Ｂ)側のコードと表示情報部材(Ｓs)側のコードとの接触や接合がないと解読できないようにするのも好適である。
【００３４】
こういった組合せ暗号に特定の波長の光照射下しか認識できない、いわゆる見えないインク、微細パターン、ホログラフ等々を複合させて本発明の表示器の使用条件となせば偽物の流布を防御でき、好適である。
【００３５】
図１(b)には表示情報部材(Ｓs)が内照容器(Ｂ)へ装着する直前状態が示されている。
使用者であるファンがひとりの"推しメン"から別の"推しメン"に応援変更する際、別の"推しメン"個別の文字・図形情報が描画されている別の表示情報部材(Ｓs)に、内照容器(Ｂ)の首をすげ替えるように交換する。
【００３６】
図２に示されるように、その交換時に表示情報部材(Ｓs)に配設されたＵo[着脱検知用の操作体(ドッグ)]がＵ[Ｓsの着脱を検知する着脱検知手段]に対して操作する。
その操作による着脱検知信号をトリガとして、コード読み取り手段(CoR)がコード(Co)を読み取り、そのコード情報が通信手段(Ｔ)で外部発信されるのが好適である。
【００３７】
ここで、表示情報部材(Ｓs)の使用を表明する使用表明手段(Ｕx[図示略])が表示情報部材(Ｓs)に配設されていて、通信手段(Ｔ)が、前記の着脱検知手段(Ｕ)で検知した着脱信号、又は、この使用表明手段(Ｕx)で表明された使用表明信号を受けて、これをトリガとして、コード読み取り手段(CoR)がコード(Co)を読み取り、そのコード情報を通信手段(Ｔ)が外部発信する、としてもよい。
【００３８】
使用表明手段(Ｕx)は、内照容器(Ｂ)の発光体(Ｌ)の点灯スイッチや表示器電源スイッチと兼ねるのが好適である。
【００３９】
図２に、コード読み取り手段(CoR)で読み取ったコード(Co)の情報を外部に発信する通信手段(Ｔ)が示されている。
通信手段(Ｔ)は、公知の無線通信系の通信端末のいずれでもよく、電波・赤外線・超音波などによる通信端末を適宜用いればよい。特に多人数の観客に対して通信する場合には、アドホック無線通信方式の採用が好適である。
【００４０】
ここで、アドホック無線通信とは、アドホックネットワークを形成した通信であり、アドホックネットワークとは、専用の基地局を用いず、端末装置が持つ中継機能を利用して相互接続される端末群で構成されるネットワークのことである。
つまり、本発明の個々の内照式情報表示器の通信手段(Ｔ)が中継機能を具備し、近接した他の内照式情報表示器の通信手段(Ｔ)に通信することで、複数の内照式情報表示器群が相互接続して、多人数の観客に対する通信系をなすものである。
【００４１】
＜＜ 表示情報シート(Ｓ)を用いた第二態様 ＞＞
第二態様には、さらに画像シート個別の情報コード(Co)によるもの(請求項３)と、複数画像シートの情報群をまとめたコード(Cox)によるもの(請求項４)がある。
簡単のため、前者を『コード(Co)態様』、後者を『代表コード(Cox)態様』とする。
【００４２】
[ ◇画像シート二枚の実施例  コード(Co)態様 ]
図３が、本発明の第二態様で二枚シート：コード(Co)態様の例である。コード読み取り手段(CoR)を有する内照容器(Ｂ)に、文字・図形情報が描画された二枚の画像シート(Sx1、Sx2)の一方を接着手段(図示略)で表示情報シート(Ｓ)に付着させている。
そして、二枚の画像シート(Sx1、Sx2)の他方を横挿入の封筒状構造になった表示情報シート(Ｓ)に収容させている。
【００４３】
表示情報シート(Ｓ)は、二枚の画像シート(Sx1、Sx2)を付着または収容させたまま、内照容器(Ｂ)に着脱自在で装着される。このように内照容器(Ｂ)を親として、子である表示情報シート(Ｓ)、孫である複数枚の画像シートによる親子・孫構成である。
【００４４】
二枚の画像シート(Sx1、Sx2)それぞれに、自らの画像シートに描画された文字・図形情報に関するコード(Co)が、表示情報シート(Ｓ)を内照容器(Ｂ)に装着した状態でコード読み取り手段(CoR)に読み取れるよう配設されている。
図３のコード(Co)には、"おもて"という画像情報、"うら"という画像情報がそれぞれコーディングされている。そして、内照容器(Ｂ)に、コード読み取り手段(CoR)で読み取ったコード(Co)の情報を外部に発信する通信手段(Ｔ) (図示略)が配設されている。
【００４５】
一方、内照容器(Ｂ)には、発光表示する二枚の画像シート(Sx1、Sx2)を選択する選択手段(Ｅx)が、内照容器(Ｂ)の表側と裏側に配設されている。アイドル応援中の使用者の選択を容易くするため、選択手段(Ｅx)の表裏位置と選択対象の二枚の画像シートの表裏位置とは逆であってもよい。アイドル応援中には、使用者は画像シートをアイドル側に向けるからである。
もちろん、使用者が画像シートを見ながら選択できるよう、選択手段(Ｅx)の位置と選択対象の二枚の画像シートの位置とを近接させてもよい(表裏を一致させてもよい)。
【００４６】
通信手段(Ｔ)が選択手段(Ｅx)による二枚の画像シート(Sx1、Sx2)のどちらを選択したかの選択信号を受信する。その選択信号で使用者が二枚の画像シート(Sx1、Sx2)のどちらを選択したか、が知れる。この選択信号をトリガとして、選択された画像シート側のコード読み取り手段(CoR)がコード(Co)を読み取り、読み取ったコード(Co)情報を通信手段(Ｔ)が外部へ発信する。
【００４７】
選択手段(Ｅx)は、内照容器(Ｂ)の発光体(Ｌ)の点灯スイッチや表示器電源スイッチと兼ねるのが好適である。
内照容器(Ｂ)の表側と裏側に独立して２つの発光体(Ｌ)の点灯スイッチ、２つの表示器電源スイッチがある内照容器構成であれば、それらに選択手段(Ｅx)の機能を担わせるのが好適である。
【００４８】
[ ◇画像シート二枚の実施例  代表コード(Cox)態様 ]
図４が、本発明の第二態様で二枚シートの別実施例であって、文字群・図形群情報に関するコード(Cox)を用いた代表コード(Cox)態様の例である。
これは、図３のコード(Co)態様に対して、コード読み取り手段(CoR)の数が減るので、表示器のコストダウン効果がある。
【００４９】
図４は図３の例同様、発光体(Ｌ)及びコード読み取り手段(CoR)を有する内照容器(Ｂ)に、文字・図形情報が描画された二枚の画像シート(Sx1、Sx2)を付着または収容した表示情報シート(Ｓ)を、着脱自在で装着して文字・図形情報を発光表示する内照式情報表示器である。
図３との相違は、表示情報シート(Ｓ)に、二枚の画像シート(Sx1、Sx2)群に描画された文字群・図形群情報に関するコード(Cox)が、表示情報シート(Ｓ)を前記内照容器(Ｂ)に装着した状態でコード読み取り手段(CoR)に読み取れるよう配設されていることである。
【００５０】
二枚の画像シート(Sx1、Sx2])群に描画された文字群・図形群情報に関するコード(Cox)には、『この表示情報シート(Ｓ)には、Ａ面="おもて"に関する情報、Ｂ面="うら"に関する情報をもった画像シート二枚アリ』という情報がコーディングされている。
この長い情報をそのままコーディングする必要はなく、なんらかの情報紐付けで簡素化した簡潔コーディングとするのが好適である。この簡潔コーディングは後述する。
【００５１】
図４の実施例にも、内照容器(Ｂ)にコード読み取り手段(CoR)で読み取ったコード(Cox)の情報を外部に発信する通信手段(Ｔ)が配設されている(図示略)。
図４は図３の例同様、内照容器(Ｂ)に、発光表示する二枚の画像シート(Sx1、Sx2)を選択する選択手段(Ｅx)が、内照容器(Ｂ)の一方の面側に"Ｅx(Ａ面)"と他方の面側に"Ｅx(Ｂ面)"が配設されているが、アイドル応援中の使用者の選択を容易にするために、選択手段(Ｅx)の表裏位置と選択対象の二枚の画像シートの表裏位置とは逆であってもよい。
【００５２】
すなわち、図示された"Ｅx(Ａ面)"を"うら"という表示面の選択手段、"Ｅx(Ｂ面)"を"おもて"というアレンジである。(アイドル応援中には、使用者は画像シートをアイドル側に向けるからである)
そして、注意すべきはこの表裏位置逆アレンジの場合、コード(Cox)は前述と逆に、『この表示情報シート(Ｓ)には、Ａ面="うら"に関する情報、Ｂ面="おもて"に関する情報をもった画像シート二枚アリ』という情報に換えておかなければならない。
【００５３】
選択手段"Ｅx(Ａ面)"または"Ｅx(Ｂ面)"を使用者が選択した信号、および、前記のコード(Cox)の情報によって、使用者が二枚の画像シート(Sx1、Sx2)のどちらを選択したか知れる。
この選択信号をトリガとして、前記のコード(Cox) を読み取り、選択手段"Ｅx(Ａ面)"または"Ｅx(Ｂ面)"の選択信号、および、前記のコード(Cox)の情報によって、選択された画像シートを判定し、コード(Cox)の情報に含まれる選択された画像シートの情報を通信手段(Ｔ)が外部へ発信する。
【００５４】
コード(Cox)の読み取りタイミングは前記のように、"Ｅx(Ａ面)"または"Ｅx(Ｂ面)"の選択信号受信のタイミングではなく、たとえば、内照容器(Ｂ)の発光体(Ｌ)の点灯スイッチや表示器電源スイッチの操作タイミングに読み取って記憶手段に記憶させておき、その記憶を"Ｅx(Ａ面)"または"Ｅx(Ｂ面)"の選択信号受信のタイミングに参照する、としてもよい。
【００５５】
すなわち、内照容器(Ｂ)の発光体(Ｌ)の点灯手段または発光体(Ｌ)を含む表示器全体の電源操作手段が、コード(Cox)の読み取り信号発生手段を兼ねるものであり、かつ、コード(Cox)の情報を一時的に記憶する(一時的記憶バッファ)記憶手段が兼備され、コード(Cox)の読み取り信号発生手段の読み取り信号発生時に該記憶手段にコード(Cox)の画像シート(Sx1、Sx2)群に描画された文字群・図形群情報が転写記憶され、その転写記憶を"Ｅx(Ａ面)"または"Ｅx(Ｂ面)"の選択信号受信のタイミングに参照する、としてもよい。
そして、参照にて選択された画像シートを判定し、コード(Cox)の情報に含まれる選択された画像シートの情報を通信手段(Ｔ)が外部へ発信する。
【００５６】
以上のように文字群・図形群情報に関するコード(Cox)を用いた構成は、ソフトウェア的には比較的複雑であるものの、ハードウェア的には、図３で表裏両面２つ必要だったコード読み取り手段(CoR)の数がひとつでよいので、表示器のコストダウン効果がある。
【００５７】
ハードウェア的注意点を補足する。図４に示すように、表示情報シート(Ｓ)の形状を非対称にして、内照容器(Ｂ)に対してひとつの装着状態のみしか装着できないようにするのが好適である。図４にては、装着時に表示情報シート(Ｓ)が内照容器(Ｂ)の側面と接触する形状(面積)を非対称に(同じ面積でなく)して、誤装着するリスク確率を下げている。
【００５８】
また、二枚の画像シート(Sx1、Sx2)が設計想定とは逆に、Sx1、Sx2それぞれの付着・収容部位を逆にして付着・収容してしまったり、コード(Cox)情報にはないまったく無関係な画像シートを間違えて付着・収容してしまったりすると本態様はうまく機能しない。
なお図４の表示情報シート(Ｓ)の形状は、誤装着とコード読み取り位置に容易く装着できるように矩形に対して非対称の切り欠き部を設けている。この切り欠きで、表示情報シート(Ｓ)自体を対称逆位置に装着するといった誤装着リスクは軽減される。
【００５９】
[ ◇画像シート三枚の実施例  代表コード(Cox)態様 ]
図５が、本発明の第二態様で三枚の画像シートを有する実施例であって、文字群・図形群情報に関するコード(Cox)を用いた代表コード(Cox)態様の例である。
コード読み取り手段(CoR)は、図示されているひとつでよく、表示器のコストダウン効果がある。
【００６０】
図５は、発光体(Ｌ：図示略)及びコード読み取り手段(CoR)を有するペンライト型内照容器(Ｂ)に、文字・図形情報が描画された三枚の画像シート("6"ちゃん応援に関する画像、"18"ちゃん応援に関する画像、"30"ちゃん応援に関する画像])を付着または収容した表示情報シート(Ｓ)を、着脱自在で装着して文字・図形情報を発光表示する内照式情報表示器である。
【００６１】
図５の表示情報シート(Ｓ)の形状は、誤装着防止とコード読み取り位置に容易く装着できるように矩形に対して非対称の切り欠き部を設けてある。これは図４と同様である。
たとえば表示情報シート(Ｓ)装着時に、コード読み取り手段(CoR)がコード(Cox)の情報を読み取って、該情報を通信手段(Ｔ：図示略)が外部に発信する。
【００６２】
図５も、前述の文字群・図形群情報に関するコード(Cox)を用いた例であって、ペンライト型の内照容器(Ｂ)に３つの選択手段(Ｅx)が配設されている。
その３つとは、任意基準の零度の角度位置に対し、60度・180度・300度に配していることから、60°の位置にある"Ex60"、180°の位置にある"Ex180"、300°の位置にある"Ex300"と仮称する。
そのことを図中の表の、"表Ａ-1"に示した。
【００６３】
図中の表の、"表Ａ-2"に、図示は略している(図５とは相違する)が、仮に図５同様の構成で前述の「コード(Co)態様」を採用した場合の、３つの選択手段(Ｅx)それぞれを"On"で読み取られる、すなわち、CoRで読まれるコード(Co)の意味[文字・図形情報]を示した。
【００６４】
図中の表の、"表Ａ-3"に、図５(a)に示す構成である「代表コード(Cox)態様」において、装着時などにて一気にCoRで読まれるコード(Cox)の意味[文字・図形情報]を示した。
【００６５】
"表Ａ-1"の意味するところは、60°の位置にある Ex60を選択("On")したときに発光表示する画像シート(Sxi)は、"6"ちゃん応援に関する画像で、
180°の位置にあるEx180を選択("On")したときに発光表示する画像シート(Sxi)は、"18"ちゃん応援に関する画像で、
300°の位置にあるEx300を選択("On")したときに発光表示する画像シート(Sxi)は、"30"ちゃん応援に関する画像だということである。
【００６６】
これに対応して、"表Ａ-2"の意味するところは、図示略している(図５とは相違する)が、前述の「コード(Co)態様」にて、
60°の位置にあるEx60を選択("On")したときにCoRで読まれるコード(Co)の意味は、画像は"6"ちゃん応援に関する画像であるという情報、
180°の位置にあるEx180を選択("On")したときにCoRで読まれるコード(Co)の意味は、画像は"18"ちゃん応援に関する画像であるという情報、
300°の位置にあるEx300を選択("On")したときにCoRで読まれるコード(Co)の意味は、画像は"30"ちゃん応援に関する画像であるという情報だということである。
【００６７】
そして、"表Ａ-3"の意味するところは、図５(a)に対応した前述の「代表コード(Cox)態様」にて、装着時などにて一気にCoRで読まれるコード(Cox)の意味[文字・図形情報]は、
60°の位置にある画像(60)は"6"ちゃん応援に関する画像であり、かつ、180°の位置にある画像(180)は"18"ちゃん応援に関する画像であり、かつ、300°の位置にある画像(300)は"30"ちゃん応援に関する画像であるという情報をまとめたものだ、ということである。
【００６８】
[ ◇画像シート三枚の48人グループアイドル向け実施例 ]
0006343090.tif 000002
【００６９】
図５の内照式情報表示器を48人グループアイドルに対する応援表示器商品とした実施例を上の"表Ａ-1"、"表Ａ-2"、"表Ａ-3"に示す。
これは、３人ずつ三枚の画像シート群の応援画像群をひとつの表示情報シート(Ｓ)に搭載描画し、総計１６の表示情報シート(Ｓ)を商品としたもので、該１６の表示情報シート(Ｓ)が、下表列の、例"1"、例"2"、・・・、例"15"、例"16"に対応している。
【００７０】
上の表の、"表Ａ-1"、"表Ａ-2"、"表Ａ-3"のそれぞれ意味するところは、前述の図５で説明したものと同様である。
たとえば、例"1"の、"1"ちゃん応援画像等・"17"ちゃん応援画像等・"33"ちゃん応援画像等は、図５の、"６"ちゃん→"1"ちゃん、"18"ちゃん→"17"ちゃん、"30"ちゃん→"33"ちゃんに置き換えただけである。
各表の説明は図５での説明同様なので略す。
【００７１】
このように構成すれば、48人グループアイドル向けの応援表示器を48種の個別商品を用意する必要があったものを、１／３の16種で済むので、生産者にとって好適である。
また、３人のアイドル応援を行いたい購入者に対して、その応援がひとつの商品でできるので購入する使用者にとっても好ましい。
【００７２】
[ 画像シート四枚の実施例  コード(Co)態様 ]
図６と図７が、本発明の第二態様で四枚シートの実施例である。
【００７３】
図６は、発光体(Ｌ：図示略)及びコード読み取り手段(CoR)を有する立方体型内照容器(Ｂ)に、文字・図形情報が描画された四枚の画像シート("い"画像、"え"画像、"あ"画像、"う"画像)を付着または収容した表示情報シート(Ｓ)を、着脱自在で装着して文字・図形情報を発光表示する内照式情報表示器である。
【００７４】
図７は、発光体(Ｌ：図示略)及びコード読み取り手段(CoR)を有する立方体型内照容器(Ｂ)に、文字・図形情報が描画された四枚の画像シート(星(★)画像、三角(▲)画像、十字(＋)画像、ハート(ハートマーク)画像)を付着または収容した表示情報シート(Ｓ)を、着脱自在で装着して文字・図形情報を発光表示する内照式情報表示器である。
【００７５】
立方体型内照容器(Ｂ)には、発光表示する画像シートを選択する選択手段(Ｅx)が配設されていて、この選択手段によって、四枚の画像シート("い"画像、"え"画像、"あ"画像、"う"画像／(星(★)画像、三角(▲)画像、十字(＋)画像、ハート(ハートマーク)画像))が、観客の選択によって切り替えられて発光表示される。
【００７６】
たとえば、図６(a)で、４人の演者Ｐ(1)〜Ｐ(4)の固有文字が、順に"あ"、"い"、"う"、"え"とされているので、図７(a)の左の時点より右の時点のほうが、"あ"表示が多く見られ、演者Ｐ(1)を応援する観客が多いことがわかる。
同様に、図７(a)で、４人の演者Ｐ(1)〜Ｐ(4)の固有図形が、順に"十字(＋)"、"星(★)"、"ハート(ハートマーク)"、"三角(▲)"とされているので、図７(a)の左の時点より右の時点のほうが、"ハート(ハートマーク)"表示が多く見られ、演者Ｐ(3)の応援観客が多いことがわかる。
【００７７】
図６−７の表示情報シート(Ｓ)と内照容器(Ｂ)には、装着方向を矢印で示すチェックマーカ(m1,m2)が配設されている。
このチェックマーカ(m1,m2)は、いわゆる合いマークであって、両者の矢印を一致させて装着する。
【００７８】
ここで簡単のため、四枚の画像シート面の位置を東西南北の方向と仮定して、(基準方向位置にて)東の位置にあるExを"Ex_east"、西の位置にあるExを"Ex_west"、南の位置にあるExを"Ex_south"、北の位置にあるExを"Ex_north"、と仮称する。
前述のチェックマーカ(m1,m2)矢印の一致で、四枚の面状画像シート群は正しく東西南北に付着または収容されるように各選択手段(Ｅx)位置を決定しておく。
また、これらの選択手段(Ｅx)は、内照容器(Ｂ)に配設された発光体(Ｌ)の点灯消灯スイッチを兼ねたものとするのも好適である。
【００７９】
上記の東西南北位置決定による"Ex_east"、"Ex_west"、"Ex_south"、"Ex_north"と、四枚の画像シート("い"画像、"え"画像、"あ"画像、"う"画像)の関係を、図６中の表の、"表Ｂ-1"に示した。
同様に、"Ex_east"、"Ex_west"、"Ex_south"、"Ex_north"と、四枚の画像シート(星(★)画像、三角(▲)画像、十字(＋)画像、ハート(ハートマーク)画像)の情報との関係を、図７中の表の、"表Ｂ-1"に示した。
【００８０】
そして図６−７中の表の、"表Ｂ-2"に、４つの選択手段(Ｅx)それぞれを"On"で読み取りがなされる、すなわち、CoRで読まれるコード(Co)の意味[文字・図形情報]を示した。
【００８１】
図６の"表Ｂ-1"の意味するところは、東の位置にある"Ex_east"を選択("On")したときに発光表示する画像シート(Sxi)は、"い"画像で、
西の位置にある"Ex_west"を選択("On")したときに発光表示する画像シート(Sxi)は、"え"画像で、
南の位置にある"Ex_south"を選択("On")したときに発光表示する画像シート(Sxi)は、"あ"画像で、
北の位置にある"Ex_north"を選択("On")したときに発光表示する画像シート(Sxi)は、"う"画像だということである。
【００８２】
これに対応して、図６の"表Ｂ-2"の意味するところは、
東の位置にある"Ex_east"を選択("On")したときにCoRで読まれるコード(Co)の意味は、画像は"い"画像であるという情報、
西の位置にある"Ex_west"を選択("On")したときにCoRで読まれるコード(Co)の意味は、画像は"え"画像であるという情報、
南の位置にある"Ex_south"を選択("On")したときにCoRで読まれるコード(Co)の意味は、画像は"あ"画像であるという情報、
北の位置にある"Ex_north"を選択("On")したときにCoRで読まれるコード(Co)の意味は、画像は"う"画像であるという情報だということである。
【００８３】
図７の"表Ｂ-1"および表Ｂ-2"の意味するところは、上記と同様である(説明は略す)。
【００８４】
[ 画像シート四枚の48人グループアイドルに対する実施例 ]
0006343090.tif 000003
【００８５】
図６−７の内照式情報表示器を４８人グループアイドルに対する応援表示器商品とした実施例を上の"表Ｂ-1"、"表Ｂ-2"、"表Ｂ-3"に示す。
これは、４人ずつ四枚の画像シート群の応援画像群をひとつの表示情報シート(Ｓ)に搭載描画し、総計１２の表示情報シート(Ｓ)を商品としたもので、該１２の表示情報シート(Ｓ)が、下表列の、例"1"、例"2"、・・・、例"11"、例"12"に対応している。
【００８６】
上の表の、"表Ｂ-1"、"表Ｂ-2"、"表Ｂ-3"のそれぞれ意味するところは、前述の図５で説明したものと同様である。
各表の説明は図５での説明同様なので略す。
【００８７】
このように構成すれば、４８人グループアイドル向けの応援表示器を４８種の個別商品として用意する必要があったものを、１／４の１２種で済むので、生産者にとって好適である。
また、４人のアイドル応援を行いたい購入者に対して、その応援がひとつの商品でできるので購入する使用者にとっても好ましい。
【００８８】
＜＜ 簡潔コーディング ＞＞
画像シート群に描画された文字群・図形群情報に関するコード(Cox)には、比較的長い情報がコーディングされている。
この長い情報をそのままコーディングする必要はなく、なんらかの論理的な情報紐付けで簡素化した簡潔コーディングとするのが好適である。
簡潔コーディングを例示する。
【００８９】
たとえば、四枚の面状画像シート群が、内容的に"春夏秋冬"を意味する文字・図形情報であれば、四季を意味する簡潔なコード(Cox)。
四枚の面状画像シート群が、内容的に"花鳥風月"を意味する文字・図形情報であれば、自然を意味する簡潔なコード(Cox)。
四枚の面状画像シート群が、内容的に"桜梅桃李"を意味する文字・図形情報であれば、pinkの花を意味する簡潔なコード(Cox)。
四枚の面状画像シート群が、内容的に"朝昼晩夜"を意味する文字・図形情報であれば、一日を意味する簡潔なコード(Cox)。
四枚の面状画像シート群が、内容的に"北海道本州四国九州"を意味する文字・図形情報であれば、日本列島を意味する簡潔なコード(Cox)。
六枚の面状画像シート群が、内容的に"月火水木金"を意味する文字・図形情報であれば、週の平日を意味する簡潔なコード(Cox)、・・、等々である。
【００９０】
＜＜ 『コード(Co)態様』と『代表コード(Cox)態様』 ＞＞
『コード(Co)態様』(請求項３)の利点は、任意の画像シート(Sxi)の交換が可能であることである。
すなわち、表示情報シート(Ｓ)に付着または収容する複数枚の画像シート(Sx1、Sx2、・・Sxk ["k"は2以上の自然数])のうち、任意の画像シート(Sxi)を交換しても、交換された画像シート(Sxi)に描画された文字・図形情報に関するコード(Co)がその画像シート(Sxi)に配設されていて、それを装着時にコード読み取り手段(CoR)が読み取りでき、交換された画像シート(Sxi)の情報が把握され、外部システムに送信できる。
【００９１】
逆に不利な点は、表示情報シート(Ｓ)に付着または収容する複数枚の画像シートの数だけ複数のコード読み取り手段(CoR)を配設が必要で、その分高コストになることである。
【００９２】
これに対し、『代表コード(Cox)態様』(請求項４)の利点は、コード読み取り手段(CoR)の数を最小にでき、表示器のコストダウンができる。
その反面、前記の『コード(Co)態様』のように任意の画像シート(Sxi)の交換はできず、交換するなら複数枚の画像シート(Sx1、Sx2、・・Sxk ["k"は2以上の自然数])を一気に交換しなければならない。
【００９３】
こういったメリット・ディメリットがあるので、この二つの態様を取捨選択して内照式情報表示器を設計すればよい。
そして、これら『コード(Co)態様』と『代表コード(Cox)態様』に加えて、表示情報部材(Ｓs)を用いた第一態様(請求項１)も設計上の選択肢なので、表示器の多様なニーズに応えることができる。
【００９４】
＜＜ 誤装着の防止手段 ＞＞
本発明表示器では、内照容器(Ｂ)への表示情報部材(Ｓs)又は表示情報シート(Ｓ)の装着を不適切に行われることを防止する必要がある。
不適切装着は、図６−７の立方体型内照容器(Ｂ)のような対称性のある内照容器で発生しやすい。すなわち、ある画像シートが東位置に接触するよう装着するところ、90°ずれて南位置に接触して装着される、などである。
この不適切装着のままコード読み取りすると、東位置情報を南位置情報とまちがえてしまう。
【００９５】
防止策としては以下である。
・１  図４・図５に示されているような表示情報シート(Ｓ)に設けた非対称の切り欠き
・２  図６・図７に図示されている矢印マーカ(m1,m2)等のいわゆる合いマーク
・３  コード(Co)とその読み取り手段(CoR)の位置を非対称位置にする。
【００９６】
上記１〜３のような手段ないしは方法で不適正な装着を防止するのが好ましい。
上記２は、m1は内照容器(Ｂ)に、m2は表示情報シート(Ｓ)にマーキングしておき、それらを一致させて表示情報シート(Ｓ)装着することである。
上記３は、すなわち、コード(Co)とその読み取り手段(CoR)の位置が非対称で、これら位置合致で防止するものである。
これはコード(Co)とその読み取り手段(CoR)自体をいわゆる合いマークとしたものである。
当然ながら、不適切装着状態でコード(Co)読み取りができない場合、表示器の発光体電源が入らないなどのインターロックを設けるのが好ましい。
【００９７】
＜＜ 製品キット ＞＞
本発明の表示器の製品キットは、次のように構成して消費者に提供するのが好適である。
すなわち以下の部品[1][2]にて、文字・図形情報が描画された＜表示情報部材(Ｓs)を用いた第一態様＞での部品セットをなすキット。
および、以下の部品[1][3]にて、複数枚の画像シート(Sx1、Sx2、・・Sxk ["k"は2以上の自然数])を付着または収容した＜表示情報シート(Ｓ)を用いた第二態様＞での部品セットをなすキットである。
[1]  発光体(Ｌ)と、[2]に記載されたコード(Co)の読み取り手段(CoR)と、該読み取り手段(CoR)で読み取ったコード(Co)の情報を外部に発信する通信手段(Ｔ)を具備し、[2]に記載された表示情報部材(Ｓs)を着脱自在で装着できる内照容器(Ｂ)、又は、発光体(Ｌ)と、[2]に記載されたコード(Co)の読み取り手段(CoR)と、該読み取り手段(CoR)で読み取ったコード(Co)の情報を外部に発信する通信手段(Ｔ)を具備し、[3]に記載された表示情報シート(Ｓ)を着脱自在で装着できる内照容器(Ｂ)。
[2]  発光表示する文字・図形情報に関するコード(Co)及び該文字・図形情報が描画された表示情報部材(Ｓs)。
[3]  発光表示する文字・図形情報に関するコード(Co)及び該文字・図形情報が描画された複数枚の面状画像シート(Sx1、Sx2、・・Sxk ["k"は2以上の自然数])を付着または収容した表示情報シート(Ｓ)。
[ここで、"文字・図形情報"は、"文字情報及び又は図形情報"を略記したものである]
【発明の効果】
【００９８】
本発明の効果は、多人数"アイドルグループ"の応援にて、複数"推しメン"をもつ観客が情報伝達補強システム等の外部システムから有効な応援サポートが受けられるようになることである。
【００９９】
すなわち、コード(Co)とその読み取り手段(CoR)、通信手段(Ｔ)の配設によって、使用者が選択し適宜変更する応援対象を読み取って外部発信することで外部システムが観客の応援対象変更を認知し、変更に応じた適切な応援サポートを享受できる。
【０１００】
表示情報部材(Ｓs)を用いた第一態様、表示情報シート(Ｓ)を用いた第二態様、さらに該第二態様に『コード(Co)態様』と『代表コード(Cox)態様』といった複数の設計上のバリエーションがあるので、多様な表示器ニーズに応えることができる。
【０１０１】
また副次効果として、コード(Co)とその読み取り手段(CoR)に公知の暗号化法の採用で、応援用発光表示器の贋作が回避でき、アイドル肖像権・著作権の効果的な保護対策ができる。
【図面の簡単な説明】
【０１０２】
【図１】請求項１の構成説明図、(a)はアイドル48人cording例
【図２】着脱検知手段(Ｕ)と操作体(Ｕo)による着脱検知の説明図
【図３】画像シート二枚構成の実施例
【図４】画像シート二枚構成の実施別例
【図５】画像シート三枚構成の実施例
【図６】画像シート四枚構成の実施例[文字表示]
【図７】画像シート四枚構成の実施別例[図形表示]
【符号の説明】
【０１０３】
Ａ(-)  劇場の観客  audience
Ｂ 内照容器
Co 文字・図形情報に関するコード
Cox 文字群・図形群情報に関するコード
CoR Coの読み取り手段
Ex 発光表示する画像シートSxi を選択する選択手段
Ex_60 (基準位置から)60°の位置にあるEx
Ex_180 180°の位置にあるEx
Ex_300 300°の位置にあるEx
Ex_east (基準方向位置にて)東の位置にあるEx
Ex_norsh 北の位置にあるEx
Ex_south 南の位置にあるEx
Ex_west  西の位置にあるEx
Ｌ 発光体
m1  第一の位置決めマーカー(Ｓ 側)
m2  第二の位置決めマーカー(Ｂ 側)
Ｐ(1)  第一の演者  performer
Ｐ(2)  第二の演者  performer
Ｐ(i)  第"i"の演者 ["i"は自然数]
Ｓ 表示情報シート
Ｓs 表示情報部材
Sx1 第一の画像シート
Sx2 第二の画像シート
Sxi 第"i"の画像シート["i"は1〜kの自然数]
Sxk 第"k"の画像シート["k"は2以上の自然数]
Ｔ Coの情報を外部に発信する通信手段
Ｕ Ｓsの着脱を検知する着脱検知手段
Ｕo 着脱検知用の操作体(ドッグ)
Ｕx Ｓsの使用を表明する使用表明手段(スイッチ)
【要約】
【課題】多人数"アイドルグループ"応援で、外部システムに対し観客の応援意思(応援している"推しメン")を伝え、好適な応援がなされること。
【解決手段】発光体(Ｌ)及びコード読み取り手段(CoR)を有する内照容器(Ｂ)に、文字・図形情報が描画された表示情報部材(Ｓs)を着脱自在で装着して文字・図形情報を発光表示する内照式情報表示器にて、表示情報部材(Ｓs)に、該表示情報部材(Ｓs)を内照容器(Ｂ)に装着した状態で、表示情報部材(Ｓs)に描画された文字・図形情報に関するコード(Co)が、コード読み取り手段(CoR)で読み取りできるよう配設し、内照容器(Ｂ)に、該コード読み取り手段(CoR)で読み取ったコード(Co)の情報を外部に発信する通信手段(Ｔ)を配設し、該通信手段(Ｔ)でたとえば情報伝達補強システム等の外部システムに対し、観客の応援意思(応援している"推しメン")を伝え、好適な応援支援、すなわち情報伝達補強などがなされるようにした。
【選択図】  図１【図１】
0006343090.tif 000004
【図２】
0006343090.tif 000005
【図３】
0006343090.tif 000006
【図４】
0006343090.tif 000007
【図５】
0006343090.tif 000008
【図６】
0006343090.tif 000009
【図７】
0006343090.tif 000010